(57)【要約】【課題】偽造されて使われなくともスキミングがあったことを検知できるＩＣ媒体およびＩＣ媒体処理装置を提供し、ＩＣ媒体に関するセキュリティレベルを向上する。【解決手段】情報を記憶する記憶手段と、情報の送受信を行う通信手段と、該通信手段で応答要求情報を受信すると該応答要求に従って前記通信手段により所定の情報を応答送信する制御手段とを備えたＩＣ媒体であって、前記制御手段を、前記応答要求情報を前記通信手段で受信した場合に、該応答要求情報に含まれる所定情報を前記記憶手段に記憶する構成とした。【選択図】図３
2007213296.tif 000002
【特許請求の範囲】
【請求項１】
情報を記憶する記憶手段と、情報の送受信を行う通信手段と、該通信手段で応答要求情報を受信すると該応答要求に従った情報を前記通信手段により応答送信する制御手段とを備えたＩＣ媒体であって、
前記制御手段を、前記応答要求情報を前記通信手段で受信した場合に、該応答要求情報に含まれる識別情報を前記記憶手段に記憶する構成とした
ＩＣ媒体。
【請求項２】
応答要求情報を受信して情報の応答送信を行うＩＣ媒体から、該ＩＣ媒体の利用に関する利用関連情報と、前記応答要求情報に含まれる識別情報を蓄積した履歴情報とを読み取る読取手段と、
予め定められた正規の識別情報である正規情報を取得する正規情報取得手段と、
前記読取手段で読み取った前記履歴情報に前記正規情報取得手段で取得した前記正規情報と一致しない識別情報が存在するか否か判定する判定手段と、
前記正規情報に一致しない識別情報が存在すると前記判定手段で判定した場合に該判定に基づいて出力する出力手段と、
少なくとも前記正規情報に一致しない識別情報が存在しないと前記判定手段で判定した場合に、前記ＩＣ媒体の利用に関して前記利用関連情報に基づいて行う処理を実行する処理手段とを備えた
ＩＣ媒体処理装置。
【発明の詳細な説明】
【技術分野】
【０００１】
この発明は、例えばＩＣカードのようなＩＣ媒体、および該ＩＣ媒体を処理するようなＩＣ媒体処理装置に関する。
【背景技術】
【０００２】
従来、鉄道の利用料金の決済や買い物の決済にカード型の情報記憶媒体が利用されている。このようなカード型の情報記憶媒体としては、従来から磁気カードが用いられている。
【０００３】
近年、この磁気カードについて、磁気情報を写し取るいわゆるスキミングと呼ばれる不正行為が問題になっている。このスキミングにより磁気情報が写し取られると、磁気情報が複製されて偽造の磁気カードが作成されてしまうという問題がある。
【０００４】
このような偽造の磁気カードの使用を防止するシステムとして、セキュリティの高い磁気カード決済システムが提案されている（特許文献１参照）。この磁気カード決済システムは、取引毎にカードナンバーＣｎ（例えば乱数、ｎはｎ回目を示す）を更新し、ｎ回目の取引を行った端末機の端末機ナンバーＴｎと前記カードナンバーＣｎとを端末機が磁気カードに記憶させる。そして、端末機は当該カードナンバーＣｎと端末機ナンバーＴｎとカードＩＤ情報および取引内容をホストに送信する。ホストは受信した情報を時系列に記憶して過去の履歴として残しておき、磁気カードから情報を受信する毎に、履歴として記憶している情報と受信した情報とを照合する。これにより、不正使用を検知できるとされている。
【０００５】
しかし、この磁気カード決済システムは、スキミングによって偽造された偽造カードが使用された段階になって初めて検知できるものである。詳述すると、偽造カードが使われることによって、途中までの履歴が一致し途中からの履歴が一致しないカードの存在をホストが検知し、これによって偽造カードが作成され使用されたことを検知できるものである。
【０００６】
一方、最近は、大容量の記憶領域を有するＩＣ媒体が提供されており、このＩＣ媒体として非接触で通信のできる非接触ＩＣカードが提供されている。この非接触ＩＣカードは、非接触で通信ができることから、非接触ＩＣカードが触られることなく不正行為者に非接触でスキミングされる可能性がある。  
このため、スキミングされないようなＩＣ媒体や、スキミングされても偽造カードが作成されて使用される前に検知できるＩＣ媒体が望まれている。
【０００７】
【特許文献１】特開２００３−１０８９０３号公報
【発明の開示】
【発明が解決しようとする課題】
【０００８】
この発明は、上述の問題に鑑み、偽造されて使われなくともスキミングがあったことを検知できるＩＣ媒体およびＩＣ媒体処理装置を提供し、ＩＣ媒体に関するセキュリティレベルを向上することを目的とする。
【課題を解決するための手段】
【０００９】
この発明は、情報を記憶する記憶手段と、情報の送受信を行う通信手段と、該通信手段で応答要求情報を受信すると該応答要求に従った情報を前記通信手段により応答送信する制御手段とを備えたＩＣ媒体であって、前記制御手段を、前記応答要求情報を前記通信手段で受信した場合に、該応答要求情報に含まれる識別情報を前記記憶手段に記憶する構成としたＩＣ媒体であることを特徴とする。
【００１０】
前記応答要求情報は、ＩＣ媒体が記憶している情報を応答送信させて読み取るための読取要求情報など、ＩＣ媒体に対して応答することを要求する情報で構成することができる。
【００１１】
前記識別情報は、応答要求情報を送信する装置に予め定めて記憶させた共通ＩＤや、該装置に個別に記憶させた装置固有ＩＤなど、正規の装置か否か識別可能な情報で構成することができる。また上記共通ＩＤは、全ての装置に対して共通のＩＤで構成する、あるいは一定の領域毎（例えば鉄道毎、駅ホーム毎、または店舗毎など）に付与したＩＤで構成することができる。  
前記ＩＣ媒体は、接触型または非接触型のＩＣ媒体など、情報の送受信の制御と情報の記憶ができる適宜の媒体で構成することができる。
【００１２】
またこの発明は、応答要求情報を受信して情報の応答送信を行うＩＣ媒体から、該ＩＣ媒体の利用に関する利用関連情報と、前記応答要求情報に含まれる識別情報を蓄積した履歴情報とを読み取る読取手段と、予め定められた正規の識別情報である正規情報を取得する正規情報取得手段と、前記読取手段で読み取った前記履歴情報に前記正規情報取得手段で取得した前記正規情報と一致しない識別情報が存在するか否か判定する判定手段と、前記正規情報に一致しない識別情報が存在すると前記判定手段で判定した場合に該判定に基づいて出力する出力手段と、少なくとも前記正規情報に一致しない識別情報が存在しないと前記判定手段で判定した場合に、前記ＩＣ媒体の利用に関して前記利用関連情報に基づいて行う処理を実行する処理手段とを備えたＩＣ媒体処理装置であることを特徴とする。
【００１３】
前記正規情報は、正規の識別情報として予め設定した全ての識別情報で構成することができる。  
前記履歴情報は、ＩＣ媒体が過去にＩＣ媒体処理装置から受信してその都度記憶した識別情報で構成することができる。
【００１４】
前記利用関連情報は、鉄道の乗車券情報で構成する、あるいは決済端末での決済等のために利用者を識別する利用者識別情報で構成するなど、利用に関連する情報で構成することができる。
【００１５】
前記処理手段は、鉄道の駅改札口でゲート扉を開閉駆動させて通過可否の制御を行う制御処理や、決済端末での決済処理など、利用者がＩＣ媒体を利用する際の適宜の処理を実行する手段で構成することができる。
【００１６】
前記ＩＣ媒体処理装置は、鉄道の駅改札口に設けられる改札機、精算機、およびカード決済を行う決済端末など、ＩＣ媒体を用いて適宜の処理を実行する装置で構成することができる。
【発明の効果】
【００１７】
この発明により、ＩＣ媒体が偽造されて使われなくともスキミングがあったことを検知でき、ＩＣ媒体に関するセキュリティレベルを向上できる。
【発明を実施するための最良の形態】
【００１８】
この発明の一実施形態を以下図面と共に説明する。この実施形態では、鉄道の駅改札口のゲートに設置される改札機の例で説明する。  
図１は、改札機１のブロック図を示し、図２は読取要求情報６０の構成図を示す。
【００１９】
改札機１は、ＨＤＤ（ハードディスクドライブ）１１、ＲＯＭ１５、メモリ２１、ＣＰＵ３１、ＩＣカードリーダライタ３２、ディスプレイ３３、音声ユニット３４、警告ランプ３５、およびＬＡＮ３６で主に構成される。
【００２０】
ＨＤＤ１１は、記憶手段として書き換え可能に情報を記憶するハードディスクドライブであり、有効端末ＩＤ一覧情報１２や自端末ＩＤ情報１３といった情報も記憶している。
【００２１】
有効端末ＩＤ一覧情報１２は、正規の端末としてサーバに登録されている全ての端末（改札機１や精算機など）の端末ＩＤであり、ＬＡＮ３６を通じてサーバから予めダウンロードされてＨＤＤ１１に記憶されている。この実施形態では、鉄道毎に端末ＩＤを付与しており、例えば鉄道Ａの改札機１については端末ＩＤＡ、鉄道Ｂの改札機１については端末ＩＤＢといったように付与している。従って、鉄道の数だけ端末ＩＤが存在している。なお、本実施の形態では、有効端末ＩＤ一覧情報１２をＨＤＤ１１内に記憶することで処理の高速化を図っているが、有効端末ＩＤ一覧情報１２をサーバにのみ記憶しておき、ＬＡＮ３６を通じてサーバの有効端末ＩＤ一覧情報１２と随時比較する構成にしてもよい。
【００２２】
自端末ＩＤ情報１３は、本改札機１に付与された端末ＩＤを記憶している。この実施形態では、鉄道毎に端末ＩＤを付与しているため、同一の鉄道に設置された複数の改札機１は、全て同一の端末ＩＤを自端末ＩＤ情報１３として記憶している。なお、全ての改札機１に異なる自端末ＩＤ情報１３を付与する、あるいは駅ホーム毎に異なる自端末ＩＤ情報１３を付与するなど、識別情報としての自端末ＩＤ情報１３を適宜設定してもよい。
【００２３】
ＲＯＭ１５は、プログラムやデータといった情報を書き換え不可能に記憶しており、読取要求送信プログラム１６、履歴評価プログラム１７、およびスキミング報知プログラム１８も記憶している。
【００２４】
読取要求送信プログラム１６は、ＩＣカード５に対して読取要求情報６０（図２参照）を送信するプログラムである。この読取要求情報６０は、図２に示すように、情報の先頭を示すヘッダ６１、乗車券情報や履歴情報など応答送信させる情報を指定する命令情報６２、自端末ＩＤ情報１３、読取要求を送信した時点を示す要求日時６４、および、情報の最後を示すフッダ６５で構成されている。ここで自端末ＩＤ情報１３は、平文あるいは暗号化して送信する構成にするとよい。
【００２５】
履歴評価プログラム１７は、後述の読取要求履歴情報５７をＩＣカード５から受信してメモリ２１に記憶した読取要求履歴情報２２に、有効端末ＩＤ一覧情報１２に登録されていない端末ＩＤが存在するか否か判定し、存在すればスキミングされたと評価するプログラムである。詳述すると、履歴評価プログラム１７は、有効端末ＩＤ一覧情報１２に登録されていない端末ＩＤが前記読取要求履歴情報２２に存在する場合や、端末ＩＤが含まれていない要求日時だけの情報が前記読取要求履歴情報２２に存在する場合に、過去にスキミングされた（少なくとも正規の改札機１以外の不正な装置から読取要求を受け付けた）と評価し、それ以外の場合にスキミングされていないと評価する。
【００２６】
スキミング報知プログラム１８は、履歴評価プログラム１７で過去にスキミングされたとの評価が得られた場合に、スキミングされたことをＩＣカードリーダライタ３２、ディスプレイ３３、音声ユニット３４、警告ランプ３５、およびＬＡＮ３６といった報知手段にて報知する処理を実行する。
【００２７】
メモリ２１は、書き換え可能に情報を記憶するものであり、ＣＰＵ３１によって一時記憶として利用される。このメモリ２１は、ＩＣカード５から受信した後述の読取要求履歴情報５７についても読取要求履歴情報２２として一時記憶する。
【００２８】
ＣＰＵ３１は、ＲＯＭ１５に記憶されたプログラムに従って、メモリ２１を作業領域に使用し、制御手段として各種制御処理を実行するものである。  
ＩＣカードリーダライタ３２は、接触または非接触でＩＣカード５の読み書きを行うものである。
【００２９】
ディスプレイ３３は、表示手段である液晶ディスプレイ等により構成され、文字や図柄などの画像を表示する。  
音声ユニット３４は、音声出力手段であるスピーカ等で構成されており、案内音声や警告音などの音声を鳴らす。
【００３０】
警告ランプ３５は、発光手段であるＬＥＤ等で構成され、警告のための点灯発光や点滅発光を行う。  
ＬＡＮ３６は、通信手段であるＬＡＮボード等で構成され、図示省略する通信回線に接続された他の改札機１やサーバ等との通信を行う。
【００３１】
以上の構成により、改札機１は、ゲート入り口側としての改札機能、ゲート出口側としての集札機能を有し、乗車券やＩＣカード５を処理することができる。なお、図示では省略しているが、改札機１は、ゲート扉の開閉により利用者の通過可否を規制するゲート扉駆動部、および利用者の通過を検知する通過検知センサ等、一般的な改札機に備えられる各装置も備えている。
【００３２】
図３は、ＩＣカード５のブロック図を示す。  
ＩＣカード５は、通信装置５１、ＣＰＵ５２、及び不揮発性メモリ５３により構成されている。
【００３３】
通信装置５１は、改札機１のＩＣカードリーダライタ３２と通信する部分であり、接触または非接触で通信する。  
ＣＰＵ５２は、通信装置５１を介して改札機１から受信した読取要求情報６０に従った情報を応答送信する処理や、読取要求のあったことを履歴として蓄積する処理等を実行する。
【００３４】
不揮発性メモリ５３は、各種プログラムやデータを記憶しており、読取要求応答プログラム５５、読取要求書込プログラム５６、および読取要求履歴情報５７も記憶している。  
読取要求応答プログラム５５は、通信装置５１を介して改札機１から受信した読取要求情報６０に対して応答するプログラムであり、要求された情報を応答送信する。
【００３５】
読取要求書込プログラム５６は、通信装置５１を介して改札機１から読取要求情報６０を受信したときに、読取要求情報６０に含まれている自端末ＩＤ情報１３および要求日時６４を読取要求履歴情報５７に書き込む処理を実行する。  
読取要求履歴情報５７は、前記読取要求書込プログラム５６によって書き込まれた読取要求に関する情報を蓄積して記憶する。
【００３６】
以上の構成により、ＩＣカード５は、改札機１から受信した読取要求情報６０に従って適切な応答を行うことができる。また、読取要求情報６０の一部を読取要求履歴情報５７に随時書き込み蓄積することができる。
【００３７】
図４は、改札機１のＣＰＵ３１が実行する全体処理のフローチャートを示す。  
ＣＰＵ３１は、ＩＣカードリーダライタ３２によってＩＣカード５を検知するまで待機する（ステップＳ１：Ｎｏ）。
【００３８】
ＩＣカード５を検知すると（ステップＳ１：Ｙｅｓ）、ＣＰＵ３１は、読取要求送信プログラム１６に従って、ＩＣカードリーダライタ３２によりＩＣカード５へ読取要求情報６０を送信する（ステップＳ２）。
【００３９】
ＣＰＵ３１は、ＩＣカード５から読取要求履歴情報５７を取得し、メモリ２１に読取要求履歴情報２２として一時記憶する（ステップＳ３）。  
ＣＰＵ３１は、履歴評価プログラム１７に従って、読取要求履歴情報２２に書き込まれている端末ＩＤが正規のものか否か、すなわち有効端末ＩＤ一覧情報１２に書き込まれている複数の端末ＩＤのどれとも一致しない端末ＩＤが存在するか否か判定して評価する（ステップＳ４）。
【００４０】
存在しなければ（ステップＳ４：Ｙｅｓ）、スキミングが行われていないと評価できるので、ＣＰＵ３１は、通常の改札処理を実行する（ステップＳ５）。この改札処理では、乗車券情報から運賃不足でないか判定し、運賃不足でなければゲート扉を開いて通過可とし、運賃不足であればゲート扉を閉じて通過不可としてエラー処理する。
【００４１】
前記存在ステップＳ４で一致しない端末ＩＤが存在していれば（ステップＳ４：Ｎｏ）、ＣＰＵ３１は、スキミング報知プログラム１８に従って、スキミングが行われたことを報知する（ステップＳ６）。この報知は、接客画面であるディスプレイ３３に文字や図柄で画像表示すること、音声ユニット３４で警告ブザーを鳴らすこと、警告ランプ３５を発光（点灯または点滅）させること、ＬＡＮ３６を通じて図示省略する係員端末にスキミング検知情報を送信して通知すること、またはＩＣカード５にスキミング有りの情報を書き込むこと、もしくはこれらの複数の組み合わせ等によって実行する。
【００４２】
なお、スキミング有りを検知した場合、図示するように報知だけ実行して改札処理を行わずにゲート扉を閉鎖して通過を阻止してもよいが、報知を行うと共に改札処理も通常通り行う構成にしてもよい。
【００４３】
図５は、上述したステップＳ４にて、ＣＰＵ３１が履歴評価プログラム１７に従って実行する評価の詳細を示すフローチャートである。  
ＣＰＵ３１は、メモリ２１から読取要求履歴情報２２を取得し（ステップＳ１１）、ＨＤＤ１１から有効端末ＩＤ一覧情報１２を取得する（ステップＳ１２）。
【００４４】
ＣＰＵ３１は、変数ｉを１に設定して初期化し（ステップＳ１３）、読取要求履歴情報２２のｉ番目の端末ＩＤが有効端末ＩＤ一覧情報１２に存在するか否か判定する（ステップＳ１４）。
【００４５】
存在する場合には、読取要求履歴情報２２にｉ＋１番目の情報が存在するか否か判定し（ステップＳ１５）、存在すれば（ステップＳ１５：Ｙｅｓ）、変数ｉをカウントアップしてステップＳ１４に処理を戻し、処理を繰り返す。
【００４６】
存在しなければ（ステップＳ１５：Ｎｏ）、読取要求履歴情報２２に含まれる全ての端末ＩＤが読取要求履歴情報２２に存在したと評価できるため、処理ＯＫと判定する（ステップＳ１６）。
【００４７】
前記ステップＳ１４でｉ番目の端末ＩＤが有効端末ＩＤ一覧情報１２に存在しなければ（ステップＳ１４：Ｎｏ）、正規の端末ＩＤを所持していない不正な装置によってＩＣカード５に読取要求がなされたと評価できるため、処理ＮＧと判定する（ステップＳ１７）。
【００４８】
図６は、ＩＣカード５のＣＰＵ５２が実行する動作のフローチャートを示す。  
ＣＰＵ５２は、通信装置５１で改札機１から読取要求情報６０を受信するまで待機し（ステップＳ２１）、読取要求情報６０を受信すると（ステップＳ２２）、読取要求情報６０から自端末ＩＤ情報１３および要求日時６４を取得する（ステップＳ２３）。
【００４９】
ＣＰＵ５２は、読取要求書込プログラム５６に従って、取得した自端末ＩＤ情報１３および要求日時６４を不揮発性メモリ５３の読取要求履歴情報５７に書き込む（ステップＳ２４）。この書き込みは、自端末ＩＤ情報１３を取得する都度追加書き込みする構成であるが、記憶している自端末ＩＤ情報１３の数が読取要求履歴情報５７として登録可能な件数を超えた後は、要求日時６４が古い自端末ＩＤ情報１３（若しくは最も古く更新されたアドレスに格納されている自端末ＩＤ情報１３）が書き込まれている部分に上書き更新するとよい。  
ＣＰＵ５２は、読取要求応答プログラム５５に従って、要求された情報を通信装置５１により改札機１に応答送信する（ステップＳ２５）。
【００５０】
以上の動作により、改札機１は、利用者が改札利用する際にＩＣカード５が過去にスキミングされたか否か判定し、スキミングされていればこれを報知することができる。
【００５１】
従って、利用者は、ＩＣカード５が偽造されて偽造カードが使用される前であっても、スキミングが行われたことを知ることが可能である。  
特に、ＩＣカード５を保持して鉄道を利用する利用者であれば、満員電車の中などで気付かない間に非接触でスキミングされても、車両から降りて降車駅のゲートを通過する際に改札機１でスキミングされたことを知ることができる。従って、仮にスキミングが行われても、スキミングがされた時点から短時間の間にスキミングされたことを検知できる。これにより、スキミングされた後すぐにＩＣカード５を利用停止することも可能となり、偽造カードが作成されて不正に使用されることを防止できる。またこれにより、利用者の安心感を高めることができる。
【００５２】
また、スキミングを検知した場合に通信回線を通じてホスト等に通知すれば、ＩＣカード５によるサービスを提供する会社は、このＩＣカード５の利用受付を停止することで偽造カードが使用されることを防止できる。
【００５３】
また、ＩＣカード５は、読取要求情報６０を受信すると、必ず自端末ＩＤ情報１３を記憶するため、正規の読取要求情報６０であったか否かを後に判定することができる。特に、読取要求情報６０に自端末ＩＤ情報１３が存在しなかった場合でも、読取要求情報６０を受け付けたことを読取要求履歴情報５７に書き込むことで、不正な装置から読取要求があったことを後に判定できる。
【００５４】
また、読取要求履歴情報５７には要求日時６４も書き込む構成にしたため、スキミングがあったと検知した場合に、スキミングが行われた日時を特定することができる。  
また、要求日時６４の時系列が正しくないと判定した場合に、スキミングによる不正な読取要求があったと評価することもできる。
【００５５】
なお、上記実施形態では、ＩＣカード５は読取要求情報６０に対して必ず応答送信する構成にしたが、読取要求情報６０のフォーマットが正しくても、自端末ＩＤ情報１３や要求日時６４が正規でない場合（例えば自端末ＩＤ情報１３または要求日時６４が入っていない場合や、ありえない自端末ＩＤ情報１３または要求日時６４が入っている場合など）であれば、応答送信しないかエラー応答する構成にしてもよい。この場合、情報がスキミングされること自体を防止できる。
【００５６】
また、ステップＳ６でＩＣカード５にスキミング有りの情報を書き込んだ場合には、ＩＣカード５に液晶ディスプレイなどの表示装置やＬＥＤなどの発光装置、あるいは音声ユニットといった報知装置を設け、該報知装置でスキミングがあったことを報知する構成にしてもよい。この場合、利用者はＩＣカード５自体によってスキミングされたか否かを確認でき、利便性が向上する。
【００５７】
この発明の構成と、上述の実施形態との対応において、
この発明のＩＣ媒体処理装置は、実施形態の改札機１に対応し、
以下同様に、
ＩＣ媒体は、ＩＣカード５に対応し、
正規情報は、有効端末ＩＤ一覧情報１２に対応し、
処理手段は、ステップＳ５を実行するＣＰＵ３１に対応し、
判定手段は、ステップＳ１１〜Ｓ１７を実行するＣＰＵ３１に対応し、
正規情報取得手段は、ステップＳ１２を実行するＣＰＵ３１に対応し、
読取手段は、ＩＣカードリーダライタ３２に対応し、
出力手段は、ＩＣカードリーダライタ３２、ディスプレイ３３、音声ユニット３４、警告ランプ３５、およびＬＡＮ３６に対応し、
通信手段は、通信装置５１に対応し、
制御手段は、ＣＰＵ５２に対応し、
記憶手段は、不揮発性メモリ５３に対応し、
履歴情報は、読取要求履歴情報５７に対応し、
応答要求情報は、読取要求情報６０に対応し、
識別情報は、自端末ＩＤ情報１３に対応し、
利用関連情報は、乗車券情報に対応するも、
この発明は、上述の実施形態の構成のみに限定されるものではなく、多くの実施の形態を得ることができる。
【図面の簡単な説明】
【００５８】
【図１】改札機のブロック図。
【図２】読取要求情報の構成図。
【図３】ＩＣカードのブロック図。
【図４】改札機のＣＰＵが実行する全体処理のフローチャート。
【図５】ＣＰＵが実行する評価の詳細を示すフローチャート。
【図６】ＩＣカードのＣＰＵが実行する動作のフローチャート。
【符号の説明】
【００５９】
１…改札機
５…ＩＣカード
１２…有効端末ＩＤ一覧情報
１３…自端末ＩＤ情報
３１…ＣＰＵ
３２…ＩＣカードリーダライタ
３３…ディスプレイ
３４…音声ユニット
３５…警告ランプ
３６…ＬＡＮ
５１…通信装置
５２…ＣＰＵ
５３…不揮発性メモリ
５７…読取要求履歴情報
６０…読取要求情報
【図１】
2007213296.tif 000003
【図２】
2007213296.tif 000004
【図３】
2007213296.tif 000005
【図４】
2007213296.tif 000006
【図５】
2007213296.tif 000007
【図６】
2007213296.tif 000008